(57)【特許請求の範囲】
【請求項１】
昇圧トランスにて昇圧した高電圧を人体に印加する電位治療器であって、
昇圧トランスを駆動するインバータ回路と、インバータ回路を制御する制御部を設け、出力電圧調整手段を制御部に接続して昇圧トランスの出力電圧を調節可能に構成し、
上記昇圧トランスの出力電圧を検出する出力電圧検出回路を前記制御部に接続し、該制御部がインバータ回路をフィードバック制御して出力電圧を設定電圧に一致させるように構成した電位治療器に於いて、
上記昇圧トランスの二次巻線の一端から抵抗器とケーブルを介して使用者が座する通電シートを接続するとともに、
上記昇圧トランスの出力電圧を検出する出力電圧検出回路を前記制御部と前記抵抗器の出力側端部に接続するように構成したことを特徴とする電位治療器。
【発明の詳細な説明】
【０００１】
【発明の属する技術分野】
この発明は、人体に高電圧を印加する電位治療器に関するものであり、特に、小型軽量化し、且つ出力機能を向上させた電位治療器に関するものである。
【０００２】
【従来の技術及び発明が解決しようとする課題】
人体に高電圧を印加して高電位にすると、血液中のカルシウムイオンが増大して、酸性に傾いた血液を弱アルカリ性にする健康増進効果があることが知られており、高電位による治療を行うための電位治療器が市販されている。
【０００３】
電位治療器は、電位治療器の本体と、電位治療器本体の出力ジャックへケーブルを介して接続される通電シートとによって構成され、電位治療器本体内の昇圧トランスの一次巻線または二次巻線に中間タップを設け、電子スイッチ等によってタップを切り換えることによって出力電圧を二段あるいは三段（例えば３０００Ｖと６０００Ｖと９０００Ｖ）に切換えられるように構成されているが、出力電圧を複数段階に切換えるために中間タップを設けた昇圧トランスが大型化と重量の増加を招くという問題がある。
【０００４】
また、電位治療器を使用するに際しては、使用者とアースとを絶縁する必要があり、例えば床上に絶縁シートを敷いてその上で通電シートによる電位治療を行う等の絶縁手段が必要になるが、湿度や床の材質等の条件によって絶縁の度合いが変化し、絶縁抵抗値が低下した場合は通電シートからアースへ微弱電流が漏れ、出力電圧が低下して治療効果が減殺されるという問題もある。
【０００５】
そこで、本発明の第一の目的は昇圧トランスの構成を簡素化して小型化を図ることにある。また、本発明の第二の目的は出力電圧の変動を抑制して安定した治療効果が得られるようにすることにある。
【０００６】
この発明は、上記目的を達成するために提案するものであり、
昇圧トランスにて昇圧した高電圧を人体に印加する電位治療器であって、
昇圧トランスを駆動するインバータ回路と、インバータ回路を制御する制御部を設け、出力電圧調整手段を制御部に接続して昇圧トランスの出力電圧を調節可能に構成し、
上記昇圧トランスの出力電圧を検出する出力電圧検出回路を前記制御部に接続し、該制御部がインバータ回路をフィードバック制御して出力電圧を設定電圧に一致させるように構成した電位治療器に於いて、
上記昇圧トランスの二次巻線の一端から抵抗器とケーブルを介して使用者が座する通電シートを接続するとともに、
上記昇圧トランスの出力電圧を検出する出力電圧検出回路を前記制御部と前記抵抗器の出力側端部に接続するように構成した電位治療器を提供するものである。
【０００８】
【発明の実施の形態】
以下、この発明の実施の一形態を図に従って詳述するが、先に電位治療器のシステム構成を図１に示す。図１において１は電位治療器であり、２は床上に敷設した絶縁シートである。通電シート３はケーブル４を介して電位治療器１へ接続し、通電シート３を絶縁シート２上に直接、または絶縁シート２上の椅子５等の上に置いて、通電シート３上に使用者が座すと、通電シート３に接している人体がアースに対して数千ボルトの高電位となるものである。尚、図中６は足を載せるための絶縁マットである。
【０００９】
図２は電位治療器１の回路ブロックを示し、１１は制御部、１２は昇圧トランスである。昇圧トランス１２の二次巻線の一端は十数Ｍオームの抵抗器１３を介して通電シート３内の電極に接続し、他端は十数Ｍオームの抵抗器１４を介して一次側回路に接続している。
【００１０】
制御部１１は、マイクロコンピュータ１５とインバータ回路１６とによって構成されており、マイクロコンピュータ１５に操作回路基板１７が接続されている。
【００１１】
操作回路基板１７には、電圧設定ボタン１８と周波数設定ボタン１９の他に、図示は省略するがスタートボタン、ストップボタン、タイマーボタン、自動コース設定ボタン等の電位治療のための複数の操作ボタンが備えられており、各種操作ボタンによる設定値は表示板に表示される。
【００１２】
インバータ回路１６の出力電圧並びに出力周波数は制御電圧によってほぼ無段階に変化させることができるので、電圧設定ボタン１８によって昇圧トランス１２の出力電圧を、例えば３０００Ｖから９０００の間で５００Ｖ単位で変化させたり、周波数設定ボタン１９によって昇圧トランス１２の出力周波数をＤＣに近い低周波から数十ｋＨｚあるいはそれ以上の高周波の範囲で段階的に変化させることができる。出力電圧と出力周波数を適宜変更することによって、同一の刺激に対する慣れによる治療効果の低下を防止することができる。
【００１３】
タイマーボタンを押す毎に、治療時間設定は２０分、４０分、６０分と変化し、例えば、時間を２０分、電圧を６０００Ｖに設定してスタートボタンを押せば、昇圧トランスが６０００Ｖの出力を２０分間継続した後に自動的に停止する。
【００１４】
自動コース選択ボタンを押せば、例えば２０分に設定されている１サイクルの間で出力電圧が段階的に変化する自動コースが実行される。制御部１１のプログラムメモリには自動コースとしてそれぞれ電圧の変化パターンが異なる複数の出力パターンのプログラムが格納されていて、任意の自動プログラムを選択することができる。昇圧トランス１２をインバータ回路１６によって駆動することにより、従来の電位治療器よりも出力電圧を多段階に変化させることができるので、極めて多種類の電圧変化パターンプログラムを設定することが可能である。
【００１５】
図３は、図２の回路に出力電圧検出回路２０を設けて、昇圧トランス１２の出力電圧をフィードバック制御するようにしたものである。電位治療器１の出力端の電圧を検出する出力電圧検出回路２０の出力はマイクロコンピュータ１５へ入力され、マイクロコンピュータ１５は出力電圧が設定電圧と一致するようにインバータ回路１６を制御する。
【００１６】
これにより、若し通電シート３とアースとの絶縁状態が悪い場合に微弱電流がアースへ漏れても、通電シート３への出力電圧が設定電圧と一致するように制御されるので、電流の漏れによる出力電圧の低下が補償されて電位治療効果の低下を防止でき、設定電圧に応じた電位治療効果を与えることができる。
【００１７】
尚、この発明は上記の実施形態に限定するものではなく、この発明の技術的範囲内において種々の改変が可能であり、この発明がそれらの改変されたものに及ぶことは当然である。
【００１８】
【発明の効果】
以上説明したように、本発明の電位治療器は、昇圧トランスの出力電圧の切り換えをインバータ回路によって電子的に制御するように構成したので、従来の電位治療器とは異なり、中間タップ付きの昇圧トランスは不要となって小型の昇圧トランスの使用が可能となるとともに出力電圧を多段階に切換えることができ、電位治療器の小型軽量化と機能の向上に効果的である。
【００１９】
また、昇圧トランスの出力電圧を検出して出力電圧を設定電圧に一致させる制御を行なうことにより、アースに対する絶縁度の変化に拘わらず出力電圧が設定電圧に維持され、設定電圧に応じた治療効果を発揮することができる。
更に、電位治療器からケーブルを介して使用者が座する通電シートを接続するとともに、上記昇圧トランスの出力電圧を検出する出力電圧検出回路を前記制御部に接続し、該制御部がインバータ回路をフィードバック制御して出力電圧を設定電圧に一致させるので、通電シートとアースとの絶縁状態が悪い場合に微弱電流がアースへ漏れても、通電シートへの出力電圧が設定電圧と一致するように制御されるから、電流の漏れによる出力電圧の低下が保障されて電位治療効果の低下を防止することができ、設定電圧に応じた電位治療効果を与えることができて、有益である。
【図面の簡単な説明】
【図１】電位治療器の構成解説図。
【図２】請求項１記載の電位治療器の回路ブロック図である。
【図３】請求項２記載の電位治療器の回路ブロック図である。
【符号の説明】
１          電位治療器
２          絶縁シート
３          通電シート
１１          制御部
１２          昇圧トランス
１５          マイクロコンピュータ
１６          インバータ回路
１７          操作回路基板
１８          電圧設定ボタン
１９          周波数設定ボタン
２０          出力電圧検出回路
【図１】
0004217814.tif 000002
【図２】
0004217814.tif 000003
【図３】
0004217814.tif 000004